(57)【要約】【課題】画像形成装置にオプション装置として装着するファクシミリユニットのスピーカ音量を、新たな部材や電気回路を追加することなく簡単に調節できるようにする。【解決手段】画像形成装置１は、本体１０の筐体１１に形成した凹部１５にファクシミリユニット２０を収納する。ファクシミリユニット２０は、凹部１５内に埋没する箇所にスピーカ２３、凹部１５から露出する面にモジュラージャック２５ａ、２５ｂとスピーカ２３の発する音を外部に出す複数の音通過用小孔２７を有する。ファクシミリユニット２０にはモジュラージャック２５ａ、２５ｂのうち選択したもののみ露出させるカバー２６を取り付け、カバー２６には音通過用小孔２７と重なる音量調整用小孔２８を形成する。カバー２６の取付位置を調節し、音通過用小孔２７と音量調整用２８のずれ具合を加減することにより、音通過用小孔２７の開度を調節できる。【選択図】図３
2008252421.tif 000002
【特許請求の範囲】
【請求項１】
本体に形成した凹部にファクシミリユニットを収納する画像形成装置において、
前記ファクシミリユニットは、前記凹部内に埋没する箇所にスピーカ、前記凹部から露出する面に複数のモジュラージャックと前記スピーカの発する音を外部に出す複数の音通過用小孔を有し、前記本体またはファクシミリユニットに、前記モジュラージャックのうち選択したもののみ露出させるカバーを取り付けるとともに、前記カバーには前記音通過用小孔と重なる音量調整用小孔を形成し、カバーの取付位置を調節することにより音通過用小孔の開度を調節できるようにしたことを特徴とする画像形成装置。
【請求項２】
前記カバーは、前記本体の筐体外面より一段と奥まった箇所に設けられていることを特徴とする請求項１に記載の画像形成装置。
【請求項３】
前記音通過用小孔と音量調整用小孔はそれぞれマトリックス状に多数形成されるものであり、孔径とマトリックス配列ピッチが相等しいことを特徴とする請求項１または２に記載の画像形成装置。
【発明の詳細な説明】
【技術分野】
【０００１】
本発明は画像形成装置に関する。
【背景技術】
【０００２】
複写機やプリンタなどの画像形成装置において、各種オプション装置を組み合わせて機能を高めることがしばしば行われる。例えば特許文献１には、排紙装置、用紙搬送装置、自動原稿給送装置などをオプション装置として装着できるデジタル複写機が記載されている。
【特許文献１】特開２００２−１８２４４１号公報
【発明の開示】
【発明が解決しようとする課題】
【０００３】
画像形成装置に組み合わせられるオプション装置の一つにファクシミリユニットがある。ファクシミリユニットには操作案内等の目的でスピーカが設けられることがあるが、基板取付位置の制約などの関係から、ファクシミリユニットを画像形成装置本体に取り付けたときにスピーカが本体の奥まった箇所に格納されてしまい、音声が聞き取りにくくなることがあった。音声が良く聞こえるように音量の基本設定レベルを上げると、今度はうるさくなりすぎるという問題が発生する。うるさいと感じるか聞き取りにくいと感じるかは画像形成装置の置かれた環境によっても異なる。そのため、ファクシミリユニットのスピーカ音量を簡単に調節できる仕組みが求められていた。
【０００４】
本発明は上記の点に鑑みなされたものであり、オプション装置としてファクシミリユニットを装着する画像形成装置において、ファクシミリユニットのスピーカ音量を、新たな部材や電気回路を追加することなく簡単に調節できるようにすることを目的とする。
【課題を解決するための手段】
【０００５】
（１）上記目的を達成するために本発明は、本体に形成した凹部にファクシミリユニットを収納する画像形成装置において、前記ファクシミリユニットは、前記凹部内に埋没する箇所にスピーカ、前記凹部から露出する面に複数のモジュラージャックと前記スピーカの発する音を外部に出す複数の音通過用小孔を有し、前記本体またはファクシミリユニットに、前記モジュラージャックのうち選択したもののみ露出させるカバーを取り付けるとともに、前記カバーには前記音通過用小孔と重なる音量調整用小孔を形成し、カバーの取付位置を調節することにより音通過用小孔の開度を調節できるようにしたことを特徴としている。
【０００６】
この構成によると、既存のカバーの取付位置を調節することにより音通過用小孔の開度を調節するものであるから、画像形成装置の外に聞こえるスピーカ音量を、簡単な操作で調節できる。また新たな部材や電気回路を追加していないので実施コストが安くて済む。
【０００７】
（２）また本発明は、上記構成の画像形成装置において、前記カバーは、前記本体の筐体外面より一段と奥まった箇所に設けられていることを特徴としている。
【０００８】
この構成によると、本体が壁に押し付けられたとしてもスピーカからの音の通り道を確保することができる。
【０００９】
（３）また本発明は、上記構成の画像形成装置において、前記音通過用小孔と音量調整用小孔はそれぞれマトリックス状に多数形成されるものであり、孔径とマトリックス配列ピッチが相等しいことを特徴としている。
【００１０】
この構成によると、カバーを小孔の孔径分だけずらすだけで音通過用小孔の開度を全開から全閉まで調節できる。
【発明の効果】
【００１１】
本発明によると、画像形成装置にオプション装置として装着するファクシミリユニットのスピーカ音量を、コスト安な仕組みで簡便に調節することができる。
【発明を実施するための最良の形態】
【００１２】
本発明の実施形態を図１−８に示す。図１は画像形成装置の外観斜視図、図２は画像形成装置の部分拡大斜視図、図３及び図４はファクシミリユニットの斜視図にして互いに異なる状態を示すもの、図５はファクシミリユニットのシャーシの斜視図、図６はカバーの斜視図、図７及び図８はシャーシとカバーが重なる箇所の部分断面図にして、互いに異なる状態を示すものである。
【００１３】
画像形成装置１はデジタル複写機であり、本体１０の筐体１１内に用紙供給部及び複写部を内蔵している。本体１０の上面には排紙部１２があり、排紙部１２の上方にはスキャナユニット１３がカンチレバー方式で張り出し、そのスキャナユニット１３の前端に操作パネル１４が設けられている。
【００１４】
本体１０の一側面には図３、４に示すファクシミリユニット２０を収納する凹部１５を形成する。図１、２には凹部１５の入口部分だけが現れている。
【００１５】
ファクシミリユニット２０は、筐体１１への取り付けに用いられるシャーシ２１（第１のシャーシ）と、シャーシ２１に取り付けられるシャーシ２２（第２のシャーシ）を有する。シャーシ２１、２２はいずれも板金製である。シャーシ２１にはスピーカ２３が取り付けられている。ファクシミリユニット２０を凹部１５に収納すると、スピーカ２３は凹部１５内に埋没し、シャーシ２２は凹部１５の入口に位置する。
【００１６】
シャーシ２２には、凹部１５から露出する面に、電話のモジュラーケーブルを接続するためのモジュラージャックが取り付けられる。図５に示すように、シャーシ２２にはモジュラージャック取付穴２４が３個、上下に並んで形成されているが、本実施形態ではその中の下２個の穴を利用してモジュラージャック２５ａ、２５ｂを取り付けている。
【００１７】
２個のモジュラージャック２５ａ、２５ｂを備えるものの、仕向地によってはその中の１個のみ使用可能であればよいとする仕様があり、それに合わせねばならないことがある。そのため、一方のモジュラージャック（この場合はモジュラージャック２５ａ）を覆い隠すカバー２６をシャーシ２２に取り付ける。カバー２６は板金製であり、モジュラージャック２５ａ、２５ｂを両方とも露出させる図３の位置、またはモジュラージャック２５ｂのみを露出させる図４の位置に、図示しないビスで固定する。シャーシ２２は筐体１１の外面から引っ込んだ位置に設けられており、そのためカバー２６も、筐体１１の外面より一段と奥まった位置に存在することになる。
【００１８】
シャーシ２２には、スピーカ２３の発生する音を筐体１１の外に出すための音通過用小孔２７がマトリックス状に多数形成される。カバー２６には、音通過用小孔２７に重なる音量調整用小孔２８がマトリックス状に多数形成される。音通過用小孔２７と音量調整用小孔２８は、孔径とマトリックスの配列ピッチが相等しい。
【００１９】
カバー２６には、２個の長穴２９ａ、２９ｂが上下に整列する形で形成されている。長穴２９ａ、２９ｂはいずれも上下方向に長く、そのうち１個は前記した図示しないビスを通すのに用い、他の１個はシャーシ２２から突出する突起３０（いわゆる「ダボ」）を係合させるのに用いる。図３の状態では長穴２９ｂに突起３０が係合し、長穴２９ａはビスを通すのに用いられる。図４の状態では長穴２９ａに突起３０が係合し、長穴２９ｂはビスを通すのに用いられる。このように突起３０とビスの両方が係合するので、カバー２６は傾くことなく垂直状態を保つ。
【００２０】
カバー２６は、図３の取付状態においても図４の取付状態においても、ビスの締め付けを緩めさえすれば、取付位置を上下方向に調節することができる。カバー２６の取付位置を調節し、音通過用小孔２７と音量調整用２８のずれ具合を加減すれば、音通過用小孔２７の開度を調節できる。
【００２１】
図７の状態では音量調整用小孔２８が音通過用小孔２７からかなりずれていて、音通過用小孔２７の開度が小さくなっている。このため、スピーカ２３の音は音量が絞られることになる。図８の状態では音量調整用小孔２８が音通過用小孔２７にぴたりと一致し、音通過用小孔２７は開度最大となっている。このためスピーカ２３の音は音量が絞られることなく外部に出る。
【００２２】
音通過用小孔２７と音量調整用小孔２８の孔径とマトリックス配列ピッチが相等しいので、カバー２６を小孔の孔径分だけずらすだけで音通過用小孔２７の開度を全開から全閉まで調節できる。従って、カバー２６の移動範囲をそれほど大きくする必要はない。具体的に言えば、長穴２９ａ、２９ｂの長さをそれほど大きくする必要がない。
【００２３】
カバー２６は筐体１１の外面より一段と奥まった箇所に設けられているため、凹部１５の入口のある側が壁に押し付けられたとしても、スピーカ２３の音の通り道は確保される。従ってスピーカ２３の音が聞こえなくなることはない。
【００２４】
音通過用小孔２７と音量調整用小孔２８は空気の通り道となるので、これらの存在により、ファクシミリユニット２０、ひいては本体１０の冷却効率を向上させることができる。
【００２５】
本実施形態ではカバー２６をファクシミリユニット２０に取り付けたが、本体１０の筐体１１にカバー２６を取り付ける構造とすることも可能である。
【００２６】
その他発明の主旨を逸脱しない範囲でさらに種々の変更を加えて実施することができる。
【産業上の利用可能性】
【００２７】
本発明は、オプション装置としてファクシミリユニットを取り付ける画像形成装置に広く利用可能である。
【図面の簡単な説明】
【００２８】
【図１】画像形成装置の外観斜視図
【図２】画像形成装置の部分拡大斜視図
【図３】ファクシミリユニットの斜視図
【図４】ファクシミリユニットの斜視図であって、図３と異なる状態を示すもの
【図５】ファクシミリユニットのシャーシの斜視図
【図６】カバーの斜視図
【図７】シャーシとカバーが重なる箇所の部分断面図
【図８】シャーシとカバーが重なる箇所の部分断面図であって、図７と異なる状態を示すもの
【符号の説明】
【００２９】
１    画像形成装置
１０  本体
１１  筐体
２０  ファクシミリユニット
２１、２２  シャーシ
２３  スピーカ
２５ａ、２５ｂ  モジュラージャック
２６  カバー
２７  音通過用小孔
２８  音量調整用小孔
【図１】
2008252421.tif 000003
【図２】
2008252421.tif 000004
【図３】
2008252421.tif 000005
【図４】
2008252421.tif 000006
【図５】
2008252421.tif 000007
【図６】
2008252421.tif 000008
【図７】
2008252421.tif 000009
【図８】
2008252421.tif 000010